(57)【要約】【課題】  同一印刷物の中に性質の異なる２つのコピー牽制領域に可変情報として設けることによりセキュリティー性の要求される不可視情報を含む印刷物の提供を目的とする。【解決手段】  本発明は、第１の情報領域１０と第２の情報領域２０と第３の情報領域３０のそれぞれに対してプリンターにより可変情報が印刷された印刷物において、前記第２の情報領域２０が第１の網点パターン４０と第２の網点パターン５０から形成され、前記第３の情報領域３０が第３の網点パターン６０と第４の網点パターン７０から形成され、前記第１の網点パターン４０および前記第３の網点パターン６０は前記第２の網点パターン５０および前記第４の網点パターン７０と比較して単位面積当たりの網点面積が等しく、網点の密度が高く形成されたことを特徴とする印刷物により上記の課題を解決した。【選択図】  図１
2015084464.tif 000002
【特許請求の範囲】
【請求項１】
第１の情報領域と第２の情報領域と第３の情報領域のそれぞれに対してプリンターにより可変情報が印刷された印刷物において、前記第２の情報領域が第１の網点パターンと第２の網点パターンから形成され、前記第３の情報領域が第３の網点パターンと第４の網点パターンから形成され、前記第１の網点パターンおよび前記第３の網点パターンは前記第２の網点パターンおよび前記第４の網点パターンと比較して単位面積当たりの網点面積が等しく、網点の密度が高く形成され、目視により前記第２の情報領域と前記第３の情報領域に形成された網点パターンを判別することが困難であることを特徴とする印刷物。
【請求項２】
前記第１の網点パターン、前記第３の網点パターンならびに前記第４の網点パターンはコピー装置により解像されない網点面積で形成されていることを特徴とする請求項１に記載の印刷物。
【発明の詳細な説明】
【技術分野】
【０００１】
本発明は、コピー牽制技術を利用した不可視情報を含む印刷物に関し、さらに詳しくは本人を特定する情報をコピー牽制技術を利用して形成させた印刷物に関する。
【背景技術】
【０００２】
近年、カラーコピー機の解像度が向上しており、高解像度のコピー機で真正の印刷物をコピーすると真正の印刷物かコピーした印刷物かの区別がつかなくなり精巧なコピーが可能となるなど不正行為が行われる懸念が生じてきている。
【０００３】
そこで、第１の網点パターン（背景網点パターン）と第２の網点パターン（牽制網点パターン）とを有するコピー牽制領域を設けることによりコピーを行った場合にコピー印刷物に第２の網点パターンが表出するようにすることにより不正行為を抑止する技術が公開されている。
【０００４】
例えば、第１の網点パターンと第２の網点パターンとからなるコピー牽制領域にある網点パターンの差異を目視できないようにするためにカムフラージュパターンを形成した技術に関する公知文献が開示されている（特許文献１参照）。
【０００５】
さらに、第１の網点パターンと第２の網点パターンとからなり、単位領域に含まれる網点の総和面積がほぼ等しいコピー牽制領域を形成した技術に関する提案がなされており、コピーした場合に、コピー機の解像度の性能に応じて第２の網点パターンが表出するような技術もある（例えば、特許文献２参照）。  
【先行技術文献】
【特許文献】
【０００６】
【特許文献１】特開昭５３−１４２２３７号公報
【特許文献２】特許第３６０９５１１号公報
【発明の概要】
【発明が解決しようとする課題】
【０００７】
しかしながら、第２の網点パターンは固定した情報であり、大量の印刷物に同じ第２の網点パターンを設けるだけであり、単に不正行為を抑止すること以上のものはない。そこで、第２の網点パターンを印刷物ごとに変える可変情報にし、さらに同一印刷物の中に性質の異なる２つのコピー牽制領域に可変情報として設けることによりセキュリティー性の要求される不可視情報を含む印刷物の提供を目的とする。
【課題を解決するための手段】
【０００８】
本発明は以下の各発明により上記課題を解決した。なお、以下の各発明に付した括弧内の符号は、図面に付した符号と対応している。
【０００９】
本発明に係わる第１の発明は、第１の情報領域（１０）と第２の情報領域（２０）と第３の情報領域（３０）のそれぞれに対してプリンターにより可変情報が印刷された印刷物において、前記第２の情報領域（２０）が第１の網点パターン（４０）と第２の網点パターン（５０）から形成され、前記第３の情報領域（３０）が第３の網点パターン（６０）と第４の網点パターン（７０）から形成され、前記第１の網点パターン（４０）および前記第３の網点パターン（６０）は前記第２の網点パターン（５０）および前記第４の網点パターン（７０）と比較して単位面積当たりの網点面積が等しく、網点の密度が高く形成され、目視により前記第２の情報領域（２０）と前記第３の情報領域（３０）に形成された網点パターンを判別することが困難であることを特徴とする印刷物である。
【００１０】
本発明に係わる第２の発明は、第１の発明において、前記第１の網点パターン（４０）、前記第３の網点パターン（６０）ならびに前記第４の網点パターン（７０）はコピー装置により解像されない網点面積で形成されていることを特徴とする印刷物である。
【発明の効果】
【００１１】
本発明の印刷物は、第２の網点パターンと第４の網点パターンとを可変情報にすることにより印刷物ごとに性質の異なったコピー牽制領域を設定することが可能となる。これによりセキュリティーレベルの異なる２つの情報を不可視情報として付与された印刷物が得られる。
【図面の簡単な説明】
【００１２】
【図１】本実施形態に係わる印刷物の平面図の一例である。
【発明を実施するための形態】
【００１３】
次に、本発明の実施形態について、図面を参照して説明する。
【００１４】
図１は、本実施形態に係わる印刷物の平面図の一例である。
図１において、１０は第１の情報領域、２０は第２の情報領域、３０は第３の情報領域、４０は第１の網点パターン、５０は第２の網点パターン、６０は第３の網点パターン、７０は第４の網点パターンを示している。
第２の情報領域２０は通常のコピー機（例えば解像度６００ｄｐｉ）により第１の網点パターン４０と第２の網点パターン５０とによる不可視化された潜像が目視可能な画像として表出するように設定されている。
【００１５】
即ち、第１の網点パターン４０と第２の網点パターン５０は、それぞれのパターン内の単位領域当りに含まれる網点面積の総和が略等しくなるように設定されている。そして、第１の網点パターン４０内に含まれる個々の網点の大きさは前記コピー機では解像しない大きさ（例えば８００ｄｐｉ以上）に設定され、第２の網点パターン５０内に含まれる個々の網点の大きさは前記コピー機により解像される大きさ（例えば４００ｄｐｉ以下）に設定されている。
【００１６】
以上のように第２の情報領域２０は、通常のコピー機により、一方の網点パターン内の網点のみが解像され、その結果、前記潜像は目視可能な画像として表出される。
なお、通常のコピー機より更に高い解像度を有するスキャナー（例えば解像度９００ｄｐｉ）を用いれば、前記第１の網点パターン４０内に含まれる網点も解像されるが、この場合は第１の網点パターン４０と第２の網点パターン５０の両方が解像されるため、前記潜像は目視可能な画像として表出しない。
【００１７】
第３の情報領域３０は第３の網点パターン６０と第４の網点パターン７０とによる不可視化された潜像が形成されているが、前記潜像は、通常のコピー機（例えば解像度６００ｄｐｉ）では目視可能な画像として表出せず、通常のコピー機より高い解像度を有する装置、例えばスキャナー（解像度９００ｄｐｉ）で読取り、プリンター出力することによって目視可能な画像が表出するように設定されている。
【００１８】
即ち、第３の網点パターン６０と第４の網点パターン７０は、それぞれのパターン内の単位領域当りに含まれる網点面積の総和が略等しくなるように設定されている。そして、第３の網点パターン６０内に含まれる個々の網点の大きさは前記スキャナーでも解像しない大きさ（例えば１２００ｄｐｉ以上）に設定され、第４の網点パターン７０内に含まれる個々の網点の大きさは前記スキャナーにより解像される大きさ（例えば８００ｄｐｉ以下）に設定されている。
【００１９】
以上のように第３の情報領域３０は、前記スキャナーにより一方の網点パターン内の網点のみが解像され、その結果、前記潜像は目視可能な画像として表出される。
このように、第３の情報領域３０に含まれる潜像は、通常のコピー機では表出せず、高い解像度を有する装置によってのみ表出することになる。
従って、第２の情報領域２０と第３の情報領域３０のそれぞれには、異なる性質のコピー牽制領域により、セキュリティー性の異なる不可視情報を付与することができる。
【００２０】
本発明の印刷物として利用できるものには、商品券、ギフト券（百貨店、スーパーマーケット）、旅行券、ビール券、図書券、文具券、おこめ券、切手、収入印紙、官製はがき、プリペイドカード、プリペイド式携帯電話カード、入場券（映画、コンサート、イベント）、乗車券、株主優待券等の金券類、手形、小切手、株券、債券等の有価証券、パスポート、ＩＤ証、社員証、保険証などのセキュリティー製品をあげることができる。
【００２１】
図１の印刷物では、上記した中から社員証や保険証などの個人情報が印刷されたカードについて説明する。第１の情報領域１０としては、カードの所有者である個人情報を記載した情報領域であり、例えば、名前、会社名、所属部署、社員番号、ロゴマークが印刷されており、印刷方法としては、ＵＶインクジェットプリンター、オフセット印刷、シルク印刷、活版印刷などがあげられる。
【００２２】
本発明で用いるプリンターとしては、印刷速度が速いＵＶインクジェットプリンターが好ましい。以下、ＵＶインクジェットプリンターを用いた例について説明する。まず、ＵＶインクジェットプリンターで第１の情報領域に個人情報を印刷した後に、コピー牽制領域である第２の情報領域２０と第３の情報領域３０に印刷する第２の網点パターン５０と第４の網点パターン７０とを所有者である個人が予め決定し、第２の網点パターン５０に相当するデータと、第４の網点パターン７０に相当するデータとを電子データ保存（コンピュータ等で管理する）した上でＵＶインクジェットプリンターで前記第２の網点パターン５０、前記第４の網点パターン７０を印刷する。さらにＵＶインクジェットプリンターで第２の網点パターン５０と第４の網点パターン７０より面積が小さい網点で第１の網点パターン４０と第３の網点パターン６０とを印刷する。当該第１の網点パターン４０、第２の網点パターン５０、第３の網点パターン６０、第４の網点パターン７０の印刷は、同時に行ってもよい。
【００２３】
ここでＵＶインクジェットプリンターで用いられるＵＶインクについて説明する。ＵＶインクはＵＶ（紫外光）によりインクに含まれている重合開始剤がラジカルを発生し、光重合反応によりインクが硬化するものである。インクの重合型にはラジカル重合型とカチオン重合型がある。ラジカル重合型はＵＶにより重合開始剤が分解してラジカルを発生し、これがモノマーと反応して重合する。一方カチオン重合型はＵＶにより重合開始剤が分解してイオンを発生し、これがモノマーと反応して重合する。インクを構成しているものは、モノマーおよび重合開始剤、色材、分散剤、界面活性剤などの添加剤である。前述したように、ＵＶを照射すると重合開始剤が活性種となりモノマーと反応して新たな活性種となり、これらが次々に反応してモノマーが重合してポリマーとなり硬化したインクとなる。反応が瞬間的に行われるため画質の精度は通常のインクに比較して格段によくなるという特徴をもっている。
【００２４】
本発明で使用したＵＶインクジェットプリンターの最大解像度は１２００ｄｐｉであるため、これより解像度の低いコピー機でコピーしても第２の網点パターン５０、第４の網点パターン７０は表出されないため、改ざんすることが困難となる。
【００２５】
第１の情報領域１０と第２の情報領域２０と第３の情報領域３０とをＵＶインクジェットプリンターで印刷することにより、より効率的にカードを製造することが可能となる。
【００２６】
第２の網点パターン５０は、文字、記号を使用し、第４の網点パターン７０は、絵柄を使用するがこれらに限定されるものではない。第２の網点パターン５０は、本人であることを特定するための情報で、例えば、名前、社員番号、生年月日等の情報を形成させることができる。このようにすることで、第１の情報領域１０が改ざんされたとしてもコピー牽制領域である第２の情報領域２０と第３の情報領域３０により真正カードかコピーカードかの区別が確認できる。さらにコピー牽制領域が２つの領域に形成されているため、改ざんが困難になり、よりセキュリティー性を高めることができる。すなわち第２の網点パターン５０および第４の網点パターン７０をカードごとに変える可変情報にし、さらに同一カードの２つのコピー牽制領域に可変情報を設けることにより印刷物のセキュリティー性を向上させることが可能となる。
以上は２つのコピー牽制領域に可変情報を設ける例について示したものであるが、コピー牽制領域は２つに限られるものではなく、いくつ設けてもよい。
【００２７】
以下、具体的な実施例について説明する。
【実施例】
【００２８】
（実施例１）          
カード基材は、白色の厚さ１８８μｍでカード（８５．６ｍｍ× ５４．０ｍｍ）に使用できるものを用いた（銘柄Ｕ２９２Ｗ；帝人デュポンフィルム株式会社製）。
ＵＶインクジェットプリンターは、４００ｄｐｉ、８００ｄｐｉ、１２００ｄｐｉの解像度のものを使用した。
ＵＶインクジェットプリンター用インクとしては、重合開始剤にベンゾフェノン、モノマーとしてアクリル酸エステルを用いた。カード基材へインクを液滴した後にＵＶを照射して、インクを乾燥させた。
第１の網点パターン４０、第２の網点パターン５０、第３の網点パターン６０、第４の網点パターン７０とを同時にＵＶインクジェットプリンターにより印刷した。
コピー機（６００ｄｐｉ）およびスキャナー（９００ｄｐｉ）を使用し網点パターンの表出テストを行った。
【００２９】
（実施例２）          
カード基材は、白色の厚さ１８８μｍでカード（８５．６ｍｍ× ５４．０ｍｍ）に使用できるものを用いた（銘柄Ｕ２９２Ｗ；帝人デュポンフィルム株式会社製）。
ＵＶインクジェットプリンターは、４００ｄｐｉ、８００ｄｐｉ、１２００ｄｐｉの解像度のものを使用した。
ＵＶインクジェットプリンター用インクとしては、重合開始剤にフェニルホスフィンオキシド、モノマーとしてアクリル酸エステルを用いた。カード基材へインクを液滴した後にＵＶを照射して、インクを乾燥させた。
第１の網点パターン４０、第２の網点パターン５０、第３の網点パターン６０、第４の網点パターン７０とを同時にＵＶインクジェットプリンターにより印刷した。
コピー機（６００ｄｐｉ）およびスキャナー（９００ｄｐｉ）を使用し網点パターンの表出テストを行った。
【００３０】
（実施例３）          
カード基材は、白色の厚さ１８８μｍでカード（８５．６ｍｍ× ５４．０ｍｍ）に使用できるものを用いた（銘柄Ｕ２９２Ｗ；帝人デュポンフィルム株式会社製）。
ＵＶインクジェットプリンターは、４００ｄｐｉ、８００ｄｐｉ、１２００ｄｐｉの解像度のものを使用した。
ＵＶインクジェットプリンター用インクとしては、重合開始剤にフェニルホスフィンオキシド、モノマーとしてアクリル酸エステルを用いた。カード基材へインクを液滴した後にＵＶを照射して、インクを乾燥させた。
第１の情報領域１０の個人情報をインクジェットプリンターで印刷した後に、
第１の網点パターン４０、第２の網点パターン５０、第３の網点パターン６０、第４の網点パターン７０とを同時にＵＶインクジェットプリンターにより印刷した。
コピー機（６００ｄｐｉ）およびスキャナー（９００ｄｐｉ）を使用し網点パターンの表出テストを行った。
【００３１】
（実施例４）          
カード基材は、白色の厚さ２５０μｍでカード（８５．６ｍｍ× ５４．０ｍｍ）に使用できるものを用いた（銘柄Ｕ２９２Ｗ；帝人デュポンフィルム株式会社製）。
ＵＶインクジェットプリンターは、４００ｄｐｉ、８００ｄｐｉ、１２００ｄｐｉの解像度のものを使用した。
ＵＶインクジェットプリンター用インクとしては、重合開始剤にベンゾフェノン、モノマーとしてアクリル酸エステルを用いた。カード基材へインクを液滴した後にＵＶを照射して、インクを乾燥させた。
第１の網点パターン４０、第２の網点パターン５０、第３の網点パターン６０、第４の網点パターン７０とを同時にＵＶインクジェットプリンターにより印刷した。
コピー機（６００ｄｐｉ）およびスキャナー（９００ｄｐｉ）を使用し網点パターンの表出テストを行った。
【００３２】
（実施例５）
カード基材は、環境適性に優れた植物由来のプラスチック（ポリ乳酸）を主原料にした植物系生分解性フィルムでカードに使用できるものを用いた（エコロージュ；三菱樹脂株式会社製）。さらにカード基材上にポリエステル系のアンカー層を塗工した。
ＵＶインクジェットプリンターは、４００ｄｐｉ、８００ｄｐｉ、１２００ｄｐｉの解像度のものを使用した。
ＵＶインクジェットプリンター用インクとしては、重合開始剤にベンゾフェノン、モノマーとしてアクリル酸エステルを用いた。カード基材へインクを液滴した後にＵＶを照射して、インクを乾燥させた。
第１の網点パターン４０、第２の網点パターン５０、第３の網点パターン６０、第４の網点パターン７０とを同時にＵＶインクジェットプリンターにより印刷した。
コピー機（６００ｄｐｉ）およびスキャナー（９００ｄｐｉ）を使用し網点パターンの表出テストを行った。
【００３３】
（実施例６）
カード基材は、環境適性に優れた植物由来のプラスチック（ポリ乳酸）を主原料にした植物系生分解性フィルムでカードに使用できるものを用いた（エコロージュ；三菱樹脂株式会社製）。さらにカード基材上にポリエステル系のアンカー層を塗工した。
ＵＶインクジェットプリンターは、４００ｄｐｉ、８００ｄｐｉ、１２００ｄｐｉの解像度のものを使用した。
ＵＶインクジェットプリンター用インクとしては、重合開始剤にフェニルホスフィンオキシド、モノマーとしてアクリル酸エステルを用いた。カード基材へインクを液滴した後にＵＶを照射して、インクを乾燥させた。
第１の網点パターン４０、第２の網点パターン５０、第３の網点パターン６０、第４の網点パターン７０とを同時にＵＶインクジェットプリンターにより印刷した。
コピー機（６００ｄｐｉ）およびスキャナー（９００ｄｐｉ）を使用し網点パターンの表出テストを行った。
【００３４】
（実施例７）
カード基材は、環境適性に優れた植物由来のプラスチック（ポリ乳酸）を主原料にした植物系生分解性フィルムでカードに使用できるものを用いた（エコロージュ；三菱樹脂株式会社製）。さらにカード基材上にポリエステル系のアンカー層を塗工した。
ＵＶインクジェットプリンターは、４００ｄｐｉ、８００ｄｐｉ、１２００ｄｐｉの解像度のものを使用した。
ＵＶインクジェットプリンター用インクとしては、重合開始剤にフェニルホスフィンオキシド、モノマーとしてアクリル酸エステルを用いた。カード基材へインクを液滴した後にＵＶを照射して、インクを乾燥させた。
第１の情報領域１０の個人情報をインクジェットプリンターで印刷した後に、
第１の網点パターン４０、第２の網点パターン５０、第３の網点パターン６０、第４の網点パターン７０とを同時にＵＶインクジェットプリンターにより印刷した。
コピー機（６００ｄｐｉ）およびスキャナー（９００ｄｐｉ）を使用し網点パターンの表出テストを行った。
【００３５】
（実施例８）
カード基材は、環境適性に優れた植物由来のプラスチック（ポリ乳酸）を主原料にした植物系生分解性フィルムでカードに使用できるものを用いた（エコロージュ；三菱樹脂株式会社製）。さらにカード基材上にポリエステル系のアンカー層を塗工した。
ＵＶインクジェットプリンターは、１２００ｄｐｉの高解像度のものを使用した。
ＵＶインクジェットプリンター用インクとしては、重合開始剤にフェニルホスフィンオキシド、モノマーとしてアクリル酸エステルを用いた。カード基材へインクを液滴した後にＵＶを照射して、インクを乾燥させた。
第１の情報領域１０の個人情報をインクジェットプリンターで印刷した後に、
第１の網点パターン４０、第２の網点パターン５０、第３の網点パターン６０、第４の網点パターン７０とを同時にＵＶインクジェットプリンターにより印刷した。
コピー機（６００ｄｐｉ）およびスキャナー（９００ｄｐｉ）を使用し網点パターンの表出テストを行った。
【００３６】
（実施例９）
カード基材は、環境適性に優れた植物由来のプラスチック（ポリ乳酸）を主原料にした植物系生分解性フィルムでカードに使用できるものを用いた（エコロージュ；三菱樹脂株式会社製）。さらにカード基材上にポリエステル系のアンカー層を塗工した。
ＵＶインクジェットプリンターは、１２００ｄｐｉの高解像度のものを使用した。
ＵＶインクジェットプリンター用インクとしては、重合開始剤にフェニルホスフィンオキシド、モノマーとしてアクリル酸エステルを用いた。カード基材へインクを液滴した後にＵＶを照射して、インクを乾燥させた。
第１の情報領域１０の個人情報と、
第１の網点パターン４０、第２の網点パターン５０、第３の網点パターン６０、第４の網点パターン７０とを同時にＵＶインクジェットプリンターにより印刷した。
コピー機（６００ｄｐｉ）およびスキャナー（９００ｄｐｉ）を使用し網点パターンの表出テストを行った。
【００３７】
（実施例１０）
カード基材は、環境適性に優れた植物由来のプラスチック（ポリ乳酸）を主原料にした植物系生分解性フィルムでカードに使用できるものを用いた（エコロージュ；三菱樹脂株式会社製）。さらにカード基材上にポリエステル系のアンカー層を塗工した。
ＵＶインクジェットプリンター用インクとしては、重合開始剤にフェニルホスフィンオキシド、モノマーとしてアクリル酸エステルを用いた。カード基材へインクを液滴した後にＵＶを照射して、インクを乾燥させた。
第１の情報領域１０の個人情報を４００ｄｐｉの解像度のＵＶインクジェットプリンターで印刷し、
第１の網点パターン４０、第２の網点パターン５０、とを８００ｄｐｉ、４００ｄｐｉの解像度のＵＶインクジェットプリンターで印刷した。次に第３の網点パターン６０、第４の網点パターン７０、とを１２００ｄｐｉ、８００ｄｐｉの解像度のＵＶインクジェットプリンターで印刷した。
コピー機（６００ｄｐｉ）およびスキャナー（９００ｄｐｉ）を使用し網点パターンの表出テストを行った。
【００３８】
（実施例１１）
カード基材は、環境適性に優れた植物由来のプラスチック（ポリ乳酸）を主原料にした植物系生分解性フィルムでカードに使用できるものを用いた（エコロージュ；三菱樹脂株式会社製）。さらにカード基材上にポリエステル系のアンカー層を塗工した。
ＵＶインクジェットプリンター用インクとしては、重合開始剤にフェニルホスフィンオキシド、モノマーとしてアクリル酸エステルを用いた。カード基材へインクを液滴した後にＵＶを照射して、インクを乾燥させた。
第１の情報領域１０の個人情報を４００ｄｐｉの解像度のＵＶインクジェットプリンターで印刷し、
第１の網点パターン４０、第２の網点パターン５０、とを１２００ｄｐｉ、４００ｄｐｉの解像度のＵＶインクジェットプリンターで印刷した。次に第３の網点パターン６０、第４の網点パターン７０、とを１２００ｄｐｉ、８００ｄｐｉの解像度のＵＶインクジェットプリンターで印刷した。
コピー機（６００ｄｐｉ）およびスキャナー（９００ｄｐｉ）を使用し網点パターンの表出テストを行った。
【００３９】
（テスト結果１）
第１の網点パターン領域内の網点密度を１２００ｄｐｉ
第２の網点パターン領域内の網点密度を４００ｄｐｉ
第３の網点パターン領域内の網点密度を１２００ｄｐｉ
第４の網点パターン領域内の網点密度を８００ｄｐｉ
の印刷物をＵＶインクジェットプリンターにより形成し、
解像度６００ｄｐｉのコピー機および解像度９００ｄｐｉのスキャナーを用いて評価した。
その結果、表１のように網点パターンが表出した。
なお、表において○は網点が再現したことを示し、◎は各情報領域に目視可能な網点パターンが表出したことを示す。
【表１】
2015084464.tif 000003
【００４０】
（テスト結果２）
第１の網点パターン領域内の網点密度を８００ｄｐｉ
第２の網点パターン領域内の網点密度を４００ｄｐｉ
第３の網点パターン領域内の網点密度を１２００ｄｐｉ
第４の網点パターン領域内の網点密度を８００ｄｐｉ
の印刷物をＵＶインクジェットプリンターにより形成し、
解像度６００ｄｐｉのコピー機および解像度９００ｄｐｉのスキャナーを用いて評価した。
その結果、表１のように網点パターンが表出した。
【表２】
2015084464.tif 000004
【符号の説明】
【００４１】
１０    第１の情報領域
２０    第２の情報領域
３０    第３の情報領域
４０    第１の網点パターン
５０    第２の網点パターン
６０    第３の網点パターン
７０    第４の網点パターン
【図１】
2015084464.tif 000005